(57)【要約】【課題】より簡単な構造を有し、パンツ内部を汚さない介護用パンツを提供すると共に、介護用パンツの着衣者の姿勢を排泄しやすい体勢にし、床づれ防止機能及び自動寝返り機能を有する介護用マット及び介護用システムを提供する。【解決手段】着衣者Ｈの臀部が着座する着座部１１と、着座部１１により周囲が囲まれるように設けられた凹状の便器部１５と、着座部１１の底部に設けられ膨張及び収縮が可能な台座部１６Ａ及び１６Ｂを有する着座体１０を備え、この着座体１０がパンツ地により覆われ、台座部１６Ａ及び１６Ｂは、着衣者Ｈが排便する際に膨張することにより、便器部１５が着座部１１から底方向に拡がって便器空間ＦＳを形成することを特徴とする。【選択図】図３
2008119172.tif 000002
【特許請求の範囲】
【請求項１】
着衣者Ｈの臀部が着座する着座部と、上記着座部により周囲が囲まれるように設けられた凹状の便器部と、上記着座部の底部に設けられ膨張及び収縮が可能な台座部を有する着座体を含み、
上記台座部は、着衣者Ｈが排便する際に膨張することにより、上記便器部が上記着座部から底方向に拡がって便器空間を形成することを特徴とする介護用パンツ。
【請求項２】
上記台座部は着衣者Ｈの臀部に対して左右対称に配設されており、上記左右対称に配置された台座部に対して交互に媒体を導入又は排出して膨張又は収縮するようにしたことを特徴とする請求項１に記載の介護用パンツ。
【請求項３】
上記着座体には、排泄物を吸引するための排出口、温度を調節した水を送水する送水口、温度を調節した空気を送風する送風口、並びに排泄物を検知する排泄物検知センサが設けられていることを特徴とする請求項１又は請求項２に記載の介護用パンツ。
【請求項４】
上記着座体には、排泄物を撹拌する撹拌器が設けられていることを特徴とする請求項３に記載の介護用パンツ。
【請求項５】
請求項１から請求項４のいずれか１項に記載の介護用パンツを着衣した着衣者Ｈが使用する介護用マットであって、上記介護用パンツの着座体が収まる凹部が設けられている介護用マット。
【請求項６】
上記介護用マットはマット部と下敷部の多層構造から成っており、少なくとも着衣者Ｈの頭部に当たる上記下敷部には上記マット部を持ち上げる膨張体が配設されていることを特徴とする請求項５に記載の介護用マット。
【請求項７】
上記介護用マットはマット部と下敷部の多層構造から成っており、上記下敷部には着衣者Ｈの中心線Ｈ１の左右対称位置に複数の膨張体を配設し、上記左右対称に配置された膨張体のどちらか一方側に媒体を導入して膨張させ、どちらか他方側の媒体を排出して収縮するようにしたことを特徴とする請求項５に記載の介護用マット。
【請求項８】
請求項１又は請求項２に記載の介護用パンツと、上記介護用パンツの上記着座体の上記台座部に対して媒体を導入又は排出する導入・排出手段とを備えたことを特徴とする介護用システム。
【請求項９】
請求項３に記載の介護用パンツと、上記介護用パンツの上記着座体の上記台座部に対して媒体を導入又は排出する導入・排出手段と、上記介護用パンツの上記着座体の上記排出口に接続され排泄物を排出パイプを通して吸引する排泄物吸引装置と、上記介護用パンツの上記着座体の上記送水口に接続されて温度を調節した水を送出する送水タンクと、上記介護用パンツの上記着座体の上記送風口に接続されて温度を調節した空気を送風する送風機と、上記介護用パンツの上記着座体の上記排出物検知センサの信号を入力し、上記導入・排出手段の導入及び排出制御、上記排泄物吸引装置の吸引制御、上記送水タンクの送水制御、並びに上記送風機の送風制御を行う制御部を備えたことを特徴とする介護用システム。
【請求項１０】
請求項４に記載の介護用パンツと、上記介護用パンツの上記着座体の上記台座部に対して媒体を導入又は排出する導入・排出手段と、上記介護用パンツの上記着座体の上記排出口に接続され排泄物を排出パイプを通して吸引する排泄物吸引装置と、上記介護用パンツの上記着座体の上記送水口に接続されて温度を調節した水を送出する送水タンクと、上記介護用パンツの上記着座体の上記送風口に接続されて温度を調節した空気を送風する送風機と、上記介護用パンツの上記着座体の上記排出物検知センサの信号を入力し、上記導入・排出手段の導入及び排出制御、上記排泄物吸引装置の吸引制御、上記送水タンクの送水制御、上記送風機の送風制御、並びに上記介護用パンツの上記着座体の上記撹拌器の駆動制御を行う制御部を備えたことを特徴とする介護用システム。
【請求項１１】
請求項６又は請求項７に記載の介護用マットと、上記介護用マットの上記膨張体に対して媒体を導入又は排出する導入・排出手段とを備えたことを特徴とする介護用システム。
【発明の詳細な説明】
【技術分野】
【０００１】
この発明は、病人、体の不自由な人、自力でトイレに行くことが困難な人のための介護用パンツ、介護用マット及び介護用システムに関するものである。
【背景技術】
【０００２】
従来、本願発明者が出願した発明として、パンツ内部の排泄物を排出パイプ内に吸引してパンツ外部に排出すると共に、パンツ内部を洗浄する介護用パンツを備えた装置において、排泄物を排出パイプ内に取込む際は、人体の排泄部を取り囲むように開いた状態となり、排泄物を外部に排出する際は、排出パイプ内に引き込まれる状態となる排泄物取込部を備えたものがあった（例えば、特許文献１参照）。
【０００３】
【特許文献１】特開２００１−２２４６１６号公報
【発明の開示】
【発明が解決しようとする課題】
【０００４】
従来の介護用パンツ装置は、排泄物を排出パイプ内に取込む際に人体の排泄部を取り囲み、排泄物を外部に排出する際に排出パイプ内に引き込まれる排泄物取込部を有するので、構造及び制御が複雑となり、装置全体として高価となる問題点があった。
【０００５】
この発明は上記のような従来の課題を解消するためになされたものであり、上記従来の介護用パンツを改良し、より簡単な構造を成し、パンツ内部を汚さない介護用パンツ及び介護用システムを提供することを目的とする。
【０００６】
また、介護用パンツの着衣者の姿勢を排泄しやすい体勢にすると共に、床づれ防止機能及び自動寝返り機能を有する介護用マット及び介護用システムを提供することを目的とする。
【課題を解決するための手段】
【０００７】
請求項１の発明は、着衣者Ｈの臀部が着座する着座部と、着座部により周囲が囲まれるように設けられた凹状の便器部と、着座部の底部に設けられ膨張及び収縮が可能な台座部を有する着座体を含み、台座部は、着衣者Ｈが排便する際に膨張することにより、便器部が着座部から底方向に拡がって便器空間を形成することを特徴とする介護用パンツである。
【０００８】
請求項２の発明は、請求項１に記載の介護用パンツにおいて、台座部は着衣者Ｈの臀部に対して左右対称に配設されており、左右対称に配置された台座部に対して交互に媒体を導入又は排出して膨張又は収縮するようにしたことを特徴とする。
【０００９】
請求項３の発明は、請求項１又は請求項２に記載の介護用パンツにおいて、着座体には、排泄物を吸引するための排出口、温度を調節した水を送水する送水口、温度を調節した空気を送風する送風口、並びに排泄物を検知する排泄物検知センサが設けられていることを特徴とする。
【００１０】
請求項４の発明は、請求項３に記載の介護用パンツにおいて、着座体には、排泄物を撹拌する撹拌器が設けられていることを特徴とする。
【００１１】
請求項５の発明は、請求項１から請求項４のいずれか１項に記載の介護用パンツを着衣した着衣者Ｈが使用する介護用マットであって、介護用パンツの着座体が収まる凹部が設けられている。
【００１２】
請求項６の発明は、請求項５に記載の介護用マットにおいて、介護用マットはマット部と下敷部の多層構造から成っており、少なくとも着衣者Ｈの頭部に当たる下敷部には上記マット部を持ち上げる膨張体が配設されていることを特徴とする。
【００１３】
請求項７の発明は、請求項５に記載の介護用マットにおいて、介護用マットはマット部と下敷部の多層構造から成っており、下敷部には着衣者Ｈの中心線Ｈ１の左右対称位置に複数の膨張体を配設し、左右対称に配置された膨張体のどちらか一方側に媒体を導入して膨張させ、どちらか他方側の媒体を排出して収縮するようにしたことを特徴とする。
【００１４】
請求項８の発明は、請求項１又は請求項２に記載の介護用パンツと、介護用パンツの着座体の台座部に対して媒体を導入又は排出する導入・排出手段とを備えたことを特徴とする介護用システムである。
【００１５】
請求項９の発明は、請求項３に記載の介護用パンツと、介護用パンツの着座体の台座部に対して媒体を導入又は排出する導入・排出手段と、介護用パンツの着座体の排出口に接続され排泄物を排出パイプを通して吸引する排泄物吸引装置と、介護用パンツの着座体の送水口に接続されて温度を調節した水を送出する送水タンクと、介護用パンツの着座体の送風口に接続されて温度を調節した空気を送風する送風機と、介護用パンツの着座体の排出物検知センサの信号を入力し、導入・排出手段の導入及び排出制御、排泄物吸引装置の吸引制御、送水タンクの送水制御、並びに送風機の送風制御を行う制御部を備えたことを特徴とする介護用システムである。
【００１６】
請求項１０の発明は、請求項４に記載の介護用パンツと、介護用パンツの着座体の台座部に対して媒体を導入又は排出する導入・排出手段と、介護用パンツの着座体の排出口に接続され排泄物を排出パイプを通して吸引する排泄物吸引装置と、介護用パンツの着座体の送水口に接続されて温度を調節した水を送出する送水タンクと、介護用パンツの着座体の送風口に接続されて温度を調節した空気を送風する送風機と、介護用パンツの着座体の排出物検知センサの信号を入力し、導入・排出手段の導入及び排出制御、排泄物吸引装置の吸引制御、送水タンクの送水制御、送風機の送風制御、並びに介護用パンツの着座体の撹拌器の駆動制御を行う制御部を備えたことを特徴とする介護用システムである。
【００１７】
請求項１１の発明は、請求項６又は請求項７に記載の介護用マットと、介護用マットの膨張体に対して媒体を導入又は排出する導入・排出手段とを備えたことを特徴とする介護用システムである。
【発明の効果】
【００１８】
請求項１の発明によれば、介護用パンツの台座部が、着衣者Ｈが排便する際に膨張することにより、便器部が着座部から底方向に拡がって充分な排泄物空間である便器空間ＦＳを形成することができ、排泄物によって着衣者Ｈが汚れることがない。また、着衣者Ｈの排便時の姿勢を安定的に保持することができる。さらに、台座部は普段はパンツ地の内部で嵩張ることのないように収縮した状態に保持することができる。
【００１９】
その他、この発明によれば、介護用パンツの着衣者の姿勢を排泄しやすい体勢にすると共に、床づれ防止機能及び自動寝返り機能を有する介護用マット及び介護用システムを提供することができる。
【発明を実施するための最良の形態】
【００２０】
以下、本発明を実施するための最良の形態を図に基づいて説明する。
【００２１】
実施の形態１．
図１はこの発明の実施の形態１による介護用システムを示す全体構成図である。本実施の形態の介護用システムは、介護等を必要とする着衣者Ｈが着衣する介護用パンツ１と、介護用パンツ１の着衣者Ｈが使用する介護用マット５０と、介護用システム全体を制御する制御部１００と、着衣者Ｈまたは介護者が制御部１００を手動で操作するための操作盤１０１と、排泄物を吸引するための排泄物吸引装置１１０と、温度を調節した水を供給するための送水タンク１２０と、温度を調節した空気を供給するための送風機１３０を備えている。介護用パンツ１は、着衣者Ｈが排泄する時に充分な排泄物空間（便器空間）を形成する着座体１０（後記に詳しく説明する）を備えており、この着座体１０の外側にはパンツ形状のパンツ地２（例えば布地）が取り付けられている。
【００２２】
図２は本実施の形態による介護用システムを示す制御系統図である。介護用パンツ１の着座体１０には、排泄物吸引装置１１０により排泄物を吸引するための排出パイプ１１１と、送水タンク１２０から温度を調節した水を供給するための送水パイプ１２１と、送風機１３０から温度を調節した空気を供給するための送風パイプ１２１とが連結されている。排泄物吸引装置１１０は着座体１０内の排泄物を排出パイプ１１１を通して吸引する役割を果たすもので、吸引ポンプを内蔵している。送水タンク１２０は送水パイプ１２１を通して適切な温度に調節した水を着座体１０内に送出する役割を果たすもので、送出ポンプ及び温度調節器を内蔵している。送風機１３０は送風パイプ１３１を通して適切な温度に調節した空気を着座体１０内に送出すると共に後述する着座体１０の台座部１６Ａ及び１６Ｂに空気を導入する役割を果たすものである。
【００２３】
また、排出パイプ１１１は介護用パンツ１から分離し取り外し可能なように構成されており、着衣者の移動時には介護用パンツ１と排出パイプ１１１との連結を取り外した後、通気性の良い栓をするようになっている。また、送水パイプ１２１及び送風パイプ１３１も介護用パンツ１から切り離すことができるように構成されている。さらに、介護用パンツ１の着座体１０には、肛門等の排泄部に近接した位置に、排泄物に多く含まれる化学物質（例えばアンモニア等）、排泄物の臭い、又は排泄物の重量を検出する排泄物検知センサ５が取付けられている。更に、介護用パンツ１の着座体には、排泄物を撹拌する撹拌器６（後述；図３参照）が取り付けられている。そして、排泄物検知センサ５、撹拌器６、及び操作盤１０１の信号線は制御部１００に取り外し可能に接続されている。
【００２４】
制御部１００は、本実施の形態の介護用システムの中央演算処理的な機能を果たすものであり、操作盤１０１の手動操作または予め設定されたプログラムに従って、撹拌器６の駆動制御、排泄物吸引装置１１０の吸引制御、送水タンク１２０の温度制御及び送水制御、並びに送風機１３０の温度制御及び送風制御を行う。
【００２５】
図３は本実施の形態の介護用パンツ１の着座体１０を示す斜視図である。本実施の形態の着座体１０は、着衣者Ｈの臀部が着座する着座部１１と、着座部１１により周囲が囲まれるように設けられた凹状の便器部１５と、着座部１１の一端側に設けられた飛散防止部１２と、着座部１１の底部に設けられ膨張及び収縮が可能な台座部１６Ａ及び１６Ｂから構成されている。上記着座体１０の構成部材は、それぞれ水や汚れに強く、かつ汚れ等がついても拭き取りやすい素材であることが好ましく、さらに肌に優しい柔軟性を有する素材であることが好ましい。
【００２６】
着座部１１は、排便や尿等の排泄物が外部に漏れないように着衣者Ｈの臀部に密着するとともに、着衣者Ｈの肌に触れても違和感の無い柔軟性を有する素材で構成される。本実施の形態では、空気を内部に充填したビニール製のチューブ部材を使用している。
【００２７】
飛散防止部１２は、同じく尿等の排泄物が外部に漏れないために設けたもので、着衣者Ｈの肌に密着する密着部１３を有している。本実施の形態では、飛散防止部１２をビニール製部材で構成し、同じく密着部１３を空気を内部に充填したビニール製のチューブ部材で構成している。また、飛散防止部１２には、送水パイプ１２１が接続される送水口１２２と、送風パイプ１３１が接続される送風口１３２が設けられている。更に、飛散防止部１２には、排泄物を検出する排泄物検知センサ５が設置されている。
【００２８】
便器部１５は、特に水や汚れに強く、汚れ等がついても拭き取りやすい素材であることが好ましく、またパンツ地２の内部でゴアゴアしないようにある程度柔軟性を有する素材であることが好ましい。本実施の形態では、ビニール製の部材を使用している。また、便器部１５には、排出パイプ１１１が接続される排出口１１２と、送水パイプ１２１が接続される送水口１２２と、送風パイプ１３１が接続される送風口１３２が設けられている。更に、便器部１５には、排泄物を検出する排泄物検知センサ５と、排出口１１２付近に排泄されて排泄物を撹拌する撹拌器６（水圧により駆動されるプロペラ等）が設置されている。
【００２９】
台座部１６Ａ及び１６Ｂは、送風機１３０から送風パイプ（図示せず）を通じて空気が導入されて膨張すると共に排気弁（図示せず）を介して排出パイプ（図示せず；例えば排泄物吸引装置１１０に接続）から空気を導出して収縮するように構成されている。つまり、台座部１６Ａ及び１６Ｂは、着衣者Ｈが排便する際に膨張することにより、便器部１５が着座部１１から底方向に拡がって充分な排泄物空間である便器空間ＦＳを形成するとともに、着衣者Ｈの排便時の姿勢を安定的に保持する役割を果たす。一方、台座部１６Ａ及び１６Ｂは、普段はパンツ地の内部で嵩張ることのないように収縮した状態に保持される。本実施の形態では、台座部１６Ａ及び１６Ｂは、便器部１５を中心にして臀部の左右対称位置に一対配設されており、それぞれ空気を内部に充填できるビニール製のチューブ部材により構成されている。なお、上記説明では、台座部１６Ａ及び１６Ｂに送風機１３０から空気を導入又は排出する例を示しているが、その他の媒体、例えば空気以外の気体やオイル等の液体でも良い。また、台座部１６Ａ及び１６Ｂに空気等を導入又は排出する装置として、制御部１００により制御される別個の装置を設けても良く、請求項ではそれらを総称して媒体を導入又は排出する導入・排出手段と呼んでいる。
【００３０】
本実施の形態の介護用マット５０は、図１に示すように、上層のマット部５１と、下層の下敷部５２、５３及び５４から構成されている。マット部５１には、介護用パンツ１が収まる凹部５５が設けられている。図４は介護用マット５０の平面図を示したものである。図４（ａ）はマット部５１の平面を示したものであり、介護用パンツ１の着衣者Ｈの中心線Ｈ１上であって臀部付近に凹部５５が設けられている。図４（ｂ）はマット部５１を図示上方に垂直に持ち上げた際の下敷部５２及び５３の平面を示したものであり、下敷部５２及び５３の上面には、中心線Ｈ１を基準線としてその対称位置に膨張体Ｂ１〜Ｂ７が設けられている。なお、膨張体Ｂ１及びＢ２は着衣者Ｈの下半身付近に、膨張体Ｂ３及びＢ４は胴体部付近に、膨張体Ｂ５〜Ｂ７は頭部付近に配設されている。図４（ｃ）はマット部５１及び下敷部５３を図示上方に垂直に持ち上げた際の下敷部５２及び５４の平面を示したものであり、下敷部５４の上面には、中心線Ｈ１を基準線としてその対称位置に膨張体Ｂ８〜Ｂ１０が設けられている。これらの膨張体Ｂ１〜Ｂ１０は、送風機１３０から送風パイプ（図示せず）を通じて空気が導入され膨張すると共に、排気弁（図示せず）を介して排出パイプ（図示せず；例えば排泄物吸引装置１１０に接続）から空気が導出されて収縮するように構成されている。なお、膨張体Ｂ１〜Ｂ１０は丈夫な風船等により構成すれば、安価でかつ構造が簡単になる。また、上記説明では、膨張体Ｂ１〜Ｂ１０に送風機１３０から空気を導入又は排出する例を示しているが、その他の媒体、例えば空気以外の気体やオイル等の液体でも良い。また、膨張体Ｂ１〜Ｂ１０に空気等を導入又は排出する装置として、制御部１００により制御される別個の装置を設けても良く、請求項ではそれらを総称して媒体を導入又は排出する導入・排出手段と呼んでいる。
【００３１】
次に、本実施の形態の介護用システムの動作について説明する。まず、介護用パンツ１を着衣者Ｈが着衣する。この場合、着座体１０の着座部１１が着衣者Ｈの臀部に密着するように、また飛散防止部１２の密着部１３が着衣者の肌に密着するように着衣する。そして、着衣者Ｈは介護用パンツ１を着たまま介護用マット５０に横たわる。このとき、介護用パンツ１の着座体１０はマット部５１の凹部５５に収まるようにする。そして、介護用パンツ１の着座体１０の排出口１１２に排出パイプ１１１を連結すると共に、送水口１２２及び送風口１３２に送水パイプ１２１及び送風パイプ１３１を連結する。また、台座部１６Ａ及び１６Ｂにも送風パイプ１３１を連結する。さらに、介護用パンツ１の着座体１０の排泄物検知センサ５及び撹拌器６を制御部１００の信号線に接続する。
【００３２】
そして、介護用パンツ１の着衣者Ｈが排便等を始めると、着座体１０の排泄物検知センサ５が臭いや排泄物を検知して、その検知信号が制御部１００に送られる。制御部１００は上記検知信号を受信すると同時に、送風機１３０に指令を出して、介護用マット５０の下敷部５３及び５４に設置した膨張体Ｂ５〜Ｂ１０に空気を導入して膨らませる。そうすると、図５に示すように、下敷部５３が下敷部５４の膨張体Ｂ８〜Ｂ１０により持ち上げられ、マット部５１が下敷部５３の膨張体Ｂ５〜Ｂ７により持ち上げられて、マット部５１に横になっている着衣者Ｈの上半身が起こされて排便がしやすい体勢にする。
【００３３】
また、排泄物検知センサ５が臭いや排泄物を検知すると同時に、制御部１００は送風機１３０に指令を出して台座部１６Ａ及び１６Ｂに空気を導入して膨らませ、便器部１５が着座部１１から底方向に拡がって充分な排泄物空間である便器空間ＦＳを形成する。この便器空間ＦＳに排泄物が溜まることにより、着衣者Ｈの体が排泄物により汚れることがなくなり、不快な思いをしなくて済む。
【００３４】
図６は本実施の形態の着座体１０の台座部１６Ａ及び１６Ｂが膨張又は収縮する様子を示す図である。図６（ａ）は着座体１０の台座部１６Ａ及び１６Ｂが膨張したときの図であり、台座部１６Ａ及び１６Ｂが膨張することにより、便器部１５は着座部１１から底方向に拡がって充分な排泄物空間である便器空間ＦＳを形成する。また、図６（ｂ）は着座体１０の台座部１６Ａ及び１６Ｂが収縮したときの図であり、台座部１６Ａ及び１６Ｂが収縮することにより、便器部１５は着座部１１から底斜め方向にへしゃげた形状になり、パンツ地２の内部で台座部１６Ａ及び１６Ｂが嵩張ることのないような状態に保持される。なお、図６（ｃ）は着座体１０を裏面側から見た図であり、台座部１６Ａ及び１６Ｂが着衣者Ｈの臀部に対して左右対称に配設されている。
【００３５】
そして、排泄物検知センサ５が臭いや排泄物を検知している間、制御部１００は、送水タンク１２０に指令を出して着座体１０への温水の噴射を行う第１の動作と、排泄物吸引装置１１０に指令を出して着座体１０の排泄物を吸引する第２の動作を、繰り返して行う。すなわち、送水タンク１２０の動作時には、便器部１５の送水口１２２から着衣者Ｈの排泄部等に向かって温水が噴射されて排泄を促すと共に、便器部１５に排泄された排泄物を温水噴射の水勢により浮上させる。次に、排泄物吸引装置１１０を動作させることにより、便器部１５に溜まった排泄物や温水を真空排気して、排出口１１２及び排出パイプ１１１を通して排泄物吸引装置１１０内の排泄物タンク（図示せず）に吸引する。この排泄物の吸引動作の際に、排出口１１２付近に設けた撹拌器６が吸引時の水圧により回転することにより、堅い排泄物等を撹拌して柔らかくし排出口１１２からスムースに排出することができる。そして、上記第１及び第２の動作を、排泄物検知センサ５が臭いや排泄物を検知している間、繰り返す。なお、撹拌器６は、モータにより駆動されるプロペラ等であっても良く、その場合は、制御部１００から駆動制御信号に基づき撹拌器６が撹拌動作を行うこととなる。
【００３６】
次に、排泄物検知センサ５が臭いや排泄物を検知しなくなった場合、制御部１００は送水タンク１２０に指令を出し、送水パイプ１２１から送水口１２２を通じて着衣者Ｈの肛門や着座体１０の便器部１５の内部に向かって温水を噴射し、人体及び介護用パンツ内部を洗浄する。一方、排泄物吸引装置１１０に取り込まれた排泄物は、携帯型の排泄物入れタンクに収納しても良いし、そのまま下水道施設に送り出しても良い。
【００３７】
最後に、介護用パンツ１内の洗浄が終了すると、制御部１００は送風機１３０に指令を出して、送風パイプ１３１及び送風口１３２を通して温風を介護用パンツ１の内部に供給して乾燥させる。
【００３８】
上述の介護用システムの動作説明では、制御部１００が予め設定されたプログラムに基づいて、排泄物吸引装置１１０の吸引制御、送水タンク１２０の温度制御及び送水制御、送風機１３０の温度制御及び送風制御等を行っていたが、操作盤１０１の手動操作により、排泄物吸引装置１１０の吸引制御、送水タンク１２０の温度制御及び送水制御、並びに送風機１３０の温度制御及び送風制御等を行っても良い。
【００３９】
以上のように本実施の形態によれば、介護用パンツ１の台座部１６Ａ及び１６Ｂが、着衣者Ｈが排便する際に膨張することにより、便器部１５が着座部１１から底方向に拡がって充分な排泄物空間である便器空間ＦＳを形成することができ、排泄物によって着衣者Ｈが汚れることがない。また、着衣者Ｈの排便時の姿勢を安定的に保持することができる。さらに、台座部１６Ａ及び１６Ｂは普段は介護用パンツ１のパンツ地２の内部で嵩張ることのないように収縮した状態に保持することができる。
【００４０】
実施の形態２．
本実施の形態は、上記実施の形態１の着座体１０の台座部１６Ａ及び１６Ｂを利用して、介護用パンツ１の着衣者Ｈの臀部の床づれを防止しようとするものである。なお、介護用パンツ１、介護用マット５０、介護用システムの構成は実施の形態１（図１〜図６）と同様であるのでその説明は省略する。
【００４１】
本実施の形態の着座体１０の台座部１６Ａ及び１６Ｂは、図６（ｃ）に示すように、着衣者Ｈの臀部に対して左右対称に配設されている。そして、介護用パンツ１の着衣者Ｈが介護用マット５０に寝ているとき又は介護用椅子に腰掛けているとき、図示しない送風パイプを通じて、左右対称に配置された台座部１６Ａ及び１６Ｂに対して所定間隔で交互に空気を導入又は排出して膨張及び収縮するように制御する。このとき、台座部１６Ａ及び１６Ｂの一方が膨張しているときは、台座部１６Ａ及び１６Ｂの他方は完全に収縮するようにする。このように、台座部１６Ａ及び１６Ｂの他方を完全に収縮するようにすれば、着衣者Ｈの片側の臀部が浮いた状態にならないので船酔い状態を防止するとこができる。
【００４２】
以上のように、本実施の形態によれば、着衣者Ｈの臀部の左右対称位置に配置された台座部１６Ａ及び１６Ｂを所定間隔で交互に膨張及び収縮するようにしたので、簡単な構造で介護用パンツ１の着衣者Ｈの臀部の床ずれを防止することができる。
【００４３】
実施の形態３．
本実施の形態は、上記実施の形態１の介護用マット５０の膨張体Ｂ１〜Ｂ１０を利用して、介護用マット５０で寝ている介護用パンツ１の着衣者Ｈの床づれを防止しようとするものである。なお、介護用パンツ１、介護用マット５０、介護用システムの構成は実施の形態１（図１〜図６）と同様であるのでその説明は省略する。
【００４４】
本実施の形態の介護用マット５０の下敷部５２，５３，５４の膨張体Ｂ１〜Ｂ１０は、図４に示すように、着衣者Ｈの中心線Ｈ１に対して左右対称に配設されている。そして、介護用パンツ１の着衣者Ｈが介護用マット５０に寝ているとき、図示しない送風パイプを通じて、左右対称に配置された膨張体Ｂ１〜Ｂ１０のどちらか一方側に空気を導入して膨張させ、どちらか他方側の空気を排出して収縮するように制御する。つまり、一方側の膨張体Ｂ１、Ｂ３、Ｂ５を膨張しているときは、他方側の膨張体Ｂ２、Ｂ４、Ｂ７を収縮した状態にし、他方側の膨張体Ｂ２、Ｂ４、Ｂ７を膨張しているときには、一方側の膨張体Ｂ１、Ｂ３、Ｂ５を収縮した状態にする。このとき、一方側の膨張体Ｂ１、Ｂ３、Ｂ５が膨張しているときは、他方側の膨張体Ｂ２、Ｂ４、Ｂ７は完全に収縮するようにする。このように、他方側の膨張体Ｂ２、Ｂ４、Ｂ７を完全に収縮するようにすれば、着衣者Ｈの左右の一方側が浮いた状態にならず着地した状態になるので船酔い状態を防止することができる。
【００４５】
以上のように、本実施の形態によれば、着衣者Ｈの中心線Ｈ１に対して左右対称位置に配置された膨張体Ｂ１〜Ｂ１０を交互に膨張及び収縮するようにしたので、簡単な構造で介護用マットに寝ている介護用パンツ１の着衣者Ｈの床ずれを防止することができる。
【図面の簡単な説明】
【００４６】
【図１】この発明の実施の形態１による介護用システムを示す全体構成図である。
【図２】この発明の実施の形態１による介護用システムを示す制御系統図である。
【図３】この発明の実施の形態１による介護用パンツの着座体を示す斜視図である。
【図４】この発明の実施の形態１による介護用マットを示す平面図である。
【図５】この発明の実施の形態１による介護用マットの動作を示す図である。
【図６】この発明の実施の形態１の着座体の台座部が膨張又は収縮する様子を示す図である。
【符号の説明】
【００４７】
１  介護用パンツ、２  パンツ地、５  排泄物検知センサ、１０  着座体、
１１  着座部、１２  飛散防止部、１３  密着部、１５  便器部、ＦＳ  便器空間、
１６Ａ，１６Ｂ  台座部、５０  介護用マット、５１  マット部、
５２，５３，５４  下敷部、Ｂ１〜Ｂ１０  膨張体、１００  制御部、１０１  操作盤、
１１０  排泄物吸引装置、１２０  送水タンク、１３０  送風機。
【図１】
2008119172.tif 000003
【図２】
2008119172.tif 000004
【図３】
2008119172.tif 000005
【図４】
2008119172.tif 000006
【図５】
2008119172.tif 000007
【図６】
2008119172.tif 000008